(57)【要約】【課題】収納部に仕切り板を円滑に出し入れ可能であって引き出された仕切り板に店員等がぶつかっても安全な間仕切りユニットを提供する。【解決手段】間仕切りユニット１０は、遊技機間に設置される縦長の収納部１１と、収納部に収納され、復元可能に曲がる柔軟な仕切り板１２と、仕切り板１２を、縦かつ引き出し方向と平行にして、収納部１１に収納された位置と収納部１１から引き出された位置とにスライド移動可能に支持する支持部１３とを備え、仕切り板１２は収納部１１への収納方向側の端部の一部に支持箇所を有し、支持部１３は支持箇所を支持し、仕切り板１２の収納部１１への収納方向側の端縁は、少なくとも収納部１１から引き出される部分において、支持箇所から縦方向に離れるほど該支持箇所に対して引き出し方向に離れる形状（たとえば、引き出し側に凹状の弓形）を成している。【選択図】図２
2014151087.tif 000002
【特許請求の範囲】
【請求項１】
遊技機間に設置される収納部と、
前記収納部に収納される、復元可能に曲がる仕切り板と、
前記仕切り板を、縦かつ引き出し方向と平行にして、前記収納部に収納された位置と前記収納部から引き出された位置とにスライド移動可能に支持する支持部と、
を備え、
前記仕切り板は、前記収納部への収納方向側の端部の一部に支持箇所を有し、
前記支持部は、前記支持箇所を支持し、
前記仕切り板の前記収納部への収納方向側の端縁は、少なくとも前記収納部から引き出される部分において、前記支持箇所から縦方向に離れるほど該支持箇所に対して引き出し方向に離れる形状を成している
ことを特徴とする間仕切りユニット。
【請求項２】
前記支持部は、前記仕切り板の上部を支持する第１支持部と、前記仕切り板の下部を支持する第２支持部とを有する
ことを特徴とする請求項１に記載の間仕切りユニット。
【請求項３】
前記第１支持部は、前記仕切り板を吊り下げるように支持し、
前記第２支持部は、前記仕切り板の前記収納部側の端部の下部の、該仕切り板の厚み方向の位置を規制する
ことを特徴とする請求項２に記載の間仕切りユニット。
【請求項４】
前記仕切り板の前記収納部側の端縁は、引き出し側に凹状の弓形を成している
ことを特徴とする請求項２または３に記載の間仕切りユニット。
【請求項５】
前記仕切り板は複数段に引き出される複数枚で構成され、
１段目の仕切り板は、引き出された状態でも前記収納部側の端縁全体が前記収納部から出ないようにされており、
２段目以降の仕切り板は、引き出された状態では前記収納部から全体が出ると共に、前記収納部側の端縁が、前記支持箇所から縦方向に離れるほど該支持箇所に対して引き出し方向に離れる形状を成している
ことを特徴とする１乃至４のいずれか１つに記載の間仕切りユニット。
【請求項６】
引き出された状態では前段の仕切り板の後端部とその後段の仕切り板の前端部とが全体にオーバーラップするようにされている
ことを特徴とする請求項５に記載の間仕切りユニット。
【請求項７】
前記仕切り板は、透明である
ことを特徴とする１乃至６のいずれか１つに記載の間仕切りユニット。
【発明の詳細な説明】
【技術分野】
【０００１】
本発明は、隣接配置された遊技機で遊技を行う隣り合う遊技者の間を仕切る間仕切りユニットに関する。
【背景技術】
【０００２】
パチンコ機やスロットマシンなどの遊技機が複数併設された遊技機島においては、隣の遊技者からのタバコの煙や隣の遊技機からの音などを遮るために、各遊技者間を仕切るための仕切り板が設けられる。通常、遊技者は遊技機の前方の腰掛けに座って遊技を行う。そのため、仕切り板は遊技機島から通路側へ大きく突出させなければ十分な効果を果たさない。しかし、常時、仕切り板を通路側へ大きく突出させると、遊技者が不在のときは邪魔になる。そこで、必要時に引き出して使用可能な収納式の仕切り板が提案されている。
【０００３】
たとえば、下記特許文献１には、仕切り板の下端を下方から支持する保持レールと仕切り板の上端を案内する保持レールをそれぞれ遊技機島の前面から通路側へ突出するように設け、これらの保持レールで仕切り板の上下を挟むように支持した間仕切りユニットが開示されている。仕切り板は上下の保持レールに沿ってスライド移動して出し入れされる。
【０００４】
また、下記特許文献２には、下部を中心に回動させて上部を手前に引き出すようにした仕切り板が開示されている。
【先行技術文献】
【特許文献】
【０００５】
【特許文献１】登録実用新案第３１６７６９７号公報
【特許文献２】特開２０１２−０１１１４０号公報
【発明の概要】
【発明が解決しようとする課題】
【０００６】
特許文献１に開示の間仕切りユニットの場合、仕切り板は下側の保持レールの上に載置されている。すなわち、下側の保持レールは仕切り板をガイドすると共に仕切り板のすべての重さを支える機能を果たし、上側の保持レールは仕切り板の上部をガイドする機能のみを果たす。そのため、仕切り板は、自重により曲がらないような強度と厚みが必要になる。特許文献２の場合、支点だけで仕切り板を支持するので、仕切り板に高い強度が求められる。
【０００７】
このように、出し入れ可能に支持するために仕切り板を厚くして強度を高めると、コストが高くなる。また、厚みが増せば透明度が低下するので遊技者の手元を店員等が見難くなり、不正行為を見つけ難くなる。さらに、仕切り板が厚くて強度が高い場合には、店員や遊技者が誤って仕切り板にぶつかったときに思わぬ怪我を招いたり、ぶつかった衝撃が遊技機に伝わって遊技者に迷惑をかけたりするといった問題が生じる。
【０００８】
本発明は、上記の問題を解決しようとするものであり、収納部に仕切り板を円滑に出し入れ可能であって引き出された仕切り板に店員等がぶつかっても安全な間仕切りユニットを提供することを目的としている。
【課題を解決するための手段】
【０００９】
かかる目的を達成するための本発明の要旨とするところは、次の各項の発明に存する。
【００１０】
［１］遊技機間に設置される収納部と、
前記収納部に収納される、復元可能に曲がる仕切り板と、
前記仕切り板を、縦かつ引き出し方向と平行にして、前記収納部に収納された位置と前記収納部から引き出された位置とにスライド移動可能に支持する支持部と、
を備え、
前記仕切り板は、前記収納部への収納方向側の端部の一部に支持箇所を有し、
前記支持部は、前記支持箇所を支持し、
前記仕切り板の前記収納部への収納方向側の端縁は、少なくとも前記収納部から引き出される部分において、前記支持箇所から縦方向に離れるほど該支持箇所に対して引き出し方向に離れる形状を成している
ことを特徴とする間仕切りユニット。
【００１１】
上記発明では、仕切り板は、収納部にスライド移動して出し入れされ、引き出された状態では、隣り合う遊技機で遊技を行う遊技者間を仕切る間仕切りとなる。仕切り板は、復元可能に曲がる程度に薄く、柔軟で弾性を有する。また仕切り板は、収納部への収納方向側の端部の一部に支持箇所を有し、支持部は、その支持箇所を支持する。これにより、引き出されている仕切り板に店員や遊技者がぶつかった場合でも、仕切り板がその衝撃を受け流すので、ぶつかった者の怪我が防止される。またぶつかった衝撃が間仕切りユニットを通じて遊技機等へ伝わり難いので、その衝撃によって遊技機が揺れるなどして遊技に影響を与えることがない。また、復元可能に曲がる仕切り板を採用し、支持箇所を一部のみとする構成（自重で曲がるようなもの）であっても、仕切り板の収納部への収納方向側の端縁（前縁とする）が支持箇所から縦方向に離れるほど該支持箇所に対して引き出し方向に離れる形状を成しているので、仕切り板は前縁が収納部の入口にぶつかることなく、円滑に収納される。
【００１２】
［２］前記支持部は、前記仕切り板の上部を支持する第１支持部と、前記仕切り板の下部を支持する第２支持部とを有する
ことを特徴とする［１］に記載の間仕切りユニット。
【００１３】
上記発明では、支持部は、仕切り板の上部と下部を支持する。これにより仕切り板を安定した姿勢に支持することができる。
【００１４】
［３］前記第１支持部は、前記仕切り板を吊り下げるように支持し、
前記第２支持部は、前記仕切り板の前記収納部側の端部の下部の、該仕切り板の厚み方向の位置を規制する
ことを特徴とする［２］に記載の間仕切りユニット。
【００１５】
上記発明では、仕切り板の上部を支持する第１支持部は仕切り板を吊り下げるように支持してその重みを受け止めかつ仕切り板の厚み方向の位置を規制する。一方、仕切り板の下部を支持する第２支持部は仕切り板の収納部側の端部の下部の該仕切り板の厚み方向の位置を規制する。第２支持部は、仕切り板の重みを受け止める必要がなく位置規制のみでよいので、構造を簡略にすることができる。たとえば、ガイドスリットとこれに係合するガイドピンなどでかまわない。
【００１６】
［４］前記仕切り板の前記収納部側の端縁は、引き出し側に凹状の弓形を成している
ことを特徴とする［２］または［３］に記載の間仕切りユニット。
【００１７】
上記発明では、引き出し側への凹みを弓形にすることで、角がなくなり、角の部分から折れ癖がつくといったことが防止される。
【００１８】
［５］前記仕切り板は複数段に引き出される複数枚で構成され、
１段目の仕切り板は、引き出された状態でも前記収納部側の端縁全体が前記収納部から出ないようにされており、
２段目以降の仕切り板は、引き出された状態では前記収納部から全体が出ると共に、前記収納部側の端縁が、前記支持箇所から縦方向に離れるほど該支持箇所に対して引き出し方向に離れる形状を成している
ことを特徴とする１乃至４のいずれか１つに記載の間仕切りユニット。
【００１９】
上記発明では、１段目の仕切り板は、一杯に引き出された状態でも前縁全体が収納部から出ないので、前縁は支持箇所から縦方向に離れるほど該支持箇所に対して引き出し方向に離れる形状を成す必要はない。一方、２段目は引き出された状態では全体が収納部から出るので、前縁は支持箇所から縦方向に離れるほど該支持箇所に対して引き出し方向に離れる形状を成している。
【００２０】
［６］引き出された状態では前段の仕切り板の後端部とその後段の仕切り板の前端部とが全体にオーバーラップするようにされている
ことを特徴とする［５］に記載の間仕切りユニット。
【００２１】
上記発明では、引き出された状態でも、前段の仕切り板の後端部とその後段の仕切り板の前端部とが全体にオーバーラップするので、隙間が出来ず、煙や音を遮る効果が適切に確保される。
【００２２】
［７］前記仕切り板は、透明である
ことを特徴とする１乃至６のいずれか１つに記載の間仕切りユニット。
【００２３】
上記発明では、引き出した状態でも遊技者の手元の視認性が確保され、不正行為の防止に貢献する。
【発明の効果】
【００２４】
本発明に係る間仕切りユニットによれば、装置コストを低減することができる。また、店員等がぶつかっても怪我することがない。また、ぶつかった衝撃が遊技機に伝播せず、遊技への影響が抑えられる。さらに、収納部への仕切り板の出し入れを円滑に行うことができる。
【図面の簡単な説明】
【００２５】
【図１】本発明の実施の形態に係る間仕切りユニットを適用した遊技機島の一例を示す斜視図である。
【図２】本実施の形態に係る間仕切りユニットを正面斜め方向から見た斜視図である。
【図３】本実施の形態に係る間仕切りユニットを背面斜め方向から見た斜視図である。
【図４】仕切り板を引き出した状態の間仕切りユニットを示す正面図である。
【図５】仕切り板を引き出した状態の間仕切りユニットを示す背面図である。
【図６】仕切り板を収納した状態の間仕切りユニットを示す正面図である。
【図７】仕切り板を収納した状態の間仕切りユニットを示す背面図である。
【図８】スペーサによって収納部と第１仕切り板との間に第２仕切り板のための隙間が確保される様子を示す説明図である。
【図９】第２仕切り板の前端部のうち支持箇所の部分のみ収納部の中に収納された状態を示す図である。
【図１０】間仕切りユニットの第２の実施の形態を示す図である。
【図１１】間仕切りユニットの第３の実施の形態を示す図である。
【図１２】一杯に引き出した場合に第１仕切り板の後端部と第２仕切り板の前端部とがオーバーラップしない領域の生じる例を示す図である。
【図１３】一杯に引き出した場合に第１仕切り板の後端部と第２仕切り板の前端部とがオーバーラップしない領域の生じる他の例を示す図である。
【図１４】一杯に引き出した場合に第１仕切り板の後端部と第２仕切り板の前端部とがオーバーラップしない領域の生じる他の例を示す図である。
【発明を実施するための形態】
【００２６】
以下、図面に基づき本発明の実施の形態を説明する。
【００２７】
図１は、本発明の実施の形態に係る間仕切りユニット１０を適用した遊技機島２の一例を示している。遊技機島２は、パチンコ機などの遊技機３と遊技者に遊技媒体（パチンコ球など）を貸し出す遊技球貸機４と本実施の形態に係る間仕切りユニット１０とを一組としたものを、島の表裏面のそれぞれに複数組併設収容している。間仕切りユニット１０は、遊技機３と遊技機３の間に設置される。各遊技機３の手前側の通路には遊技者が座るための椅子５が設置されている。
【００２８】
図２は本実施の形態に係る間仕切りユニット１０を正面斜め方向から見た斜視図であり、図３は間仕切りユニット１０を背面斜め方向から見た斜視図である。図４は仕切り板１２を引き出した状態の間仕切りユニット１０の正面図であり、図５は仕切り板１２を引き出した状態の間仕切りユニット１０の背面図である。図６は仕切り板１２を収納した状態の間仕切りユニット１０の正面図であり、図７は仕切り板１２を収納した状態の間仕切りユニット１０の背面図である。
【００２９】
各図に示すように、間仕切りユニット１０は、遊技機３と隣の遊技機３との間に設置される縦長で薄型の収納部１１と、収納部１１に収納され、復元可能に曲がる仕切り板１２と、仕切り板１２を、縦（鉛直）かつ引き出し方向と平行にして、収納部１１に収納された位置と収納部１１から引き出された位置とにスライド移動可能に支持する支持部１３とを備えて構成される。仕切り板１２は、収納部１１への収納方向側の端部の一部に支持箇所を有し、支持部１３は該支持箇所を支持する。
【００３０】
ここでは、支持部１３は、仕切り板１２の上部を支持する上支持部１３ａと、仕切り板１２の下部を支持する下支持部１３ｂとから構成される（図２、図３、図４参照）。また、仕切り板１２は、複数段に引き出される複数枚で構成される。具体的には、１段目の第１仕切り板２０と、第１仕切り板２０よりさらに引き出される２段目の第２仕切り板３０とを備えている。第２仕切り板３０は第１仕切り板２０に取り付けられている。第１仕切り板２０、第２仕切り板３０はいずれも透明な樹脂（たとえば、アクリル）で形成されており、復元可能に曲がるような柔軟性と弾性を備えた薄板である。たとえば、下端のみを持って縦に支持したとき、自重で曲がる（撓む）程度である。厚みは、１．５ｍｍ程度である。以後、収納部１１への収納方向側を「前」、引き出し方向側を「後」とする。また、各仕切り板２０、３０において、収納部１１への収納方向側の端縁を前縁とする。
【００３１】
第１仕切り板２０は、縦長の長方形を成しており、収納位置では収納部１１に全体が丁度収納される（図６、図７参照）。また、引き出し位置（一杯に引き出した位置）でも、前縁全体が収納部１１から出ないようにされている（図４、図５参照）。
【００３２】
第２仕切り板３０は、縦方向の長さは第１仕切り板２０より僅かに短く、引き出し方向の長さは第１仕切り板２０より長くされている。第２仕切り板３０は、収納位置では、後端部が、持ち手となる部分として、収納部１１から出た状態になる（図６、図７参照）。第２仕切り板３０は、引き出し位置では、引き出しされた第１仕切り板２０からさらに引き出されて全体が収納部１１から出る（図４、図５参照）。ただし、一杯に引き出された状態でも前段の第１仕切り板２０の後端部とその後段の第２仕切り板３０の前端部とが縦方向全体に渡ってオーバーラップするようにされている。図５ではオーバーラップする領域２４にハッチングを施してある。
【００３３】
また、第２仕切り板３０の前縁３２は、支持部１３による支持箇所から縦方向に離れるほど該支持箇所に対して引き出し方向に離れる形状を成している。本実施の形態では、支持部１３は第２仕切り板３０の上部と下部の支持箇所を支持しており、第２仕切り板３０の前縁３２は、引き出し側に凹状の弓形を成している。
【００３４】
これにより、第２仕切り板３０を収納部１１に収納する場合、図９に示すように、第２仕切り板３０の前縁３２のうち、支持部１３に支持されている上部および下部の支持箇所が最初に収納部１１の入口に到達する。この部分（支持箇所）は支持部１３に支持されているので、そのまま円滑に収納部１１の中へと案内されて進入する。
【００３５】
第２仕切り板３０の前縁３２は支持部１３による支持箇所から縦方向に離れるほど該支持箇所に対して引き出し方向に離れる形状を成しているので、支持部１３に支持された部分が収納部１１の中に入った後は、第２仕切り板３０のうち、収納部１１内に直前に入った部分と次に収納部１１へ入ろうとする部分とが直近で連なり、直前に入った部分が次に入ろうとする部分を円滑に収納部１１内へと案内する。これにより、第２仕切り板３０は、自重で曲がるような部材で構成されていても、前縁３２が収納部１１の入口に衝突することなく、円滑に収納部１１に入って収納される。また、収納する際に第２仕切り板３０が正面方向（収納部１１の板部１５側）に膨らんだ状態になったとしても上記の作用により円滑に収納部１１内へと案内される。
【００３６】
以下、間仕切りユニット１０の構成をより詳細に説明する。
【００３７】
図３に示すように、収納部１１は、縦長の長方形の板部１５と該板部１５の一方の縦辺のほぼ全体から９０度に屈曲して１ｃｍほどの高さに伸びた縁壁１６とを備えて構成される。収納部１１は剛性の高い金属板などで構成される。
【００３８】
収納部１１の板部１５に対して、第２仕切り板３０と第１仕切り板２０がこの順で平行にかつスライドして出し入れ可能に取り付けられる。すなわち、収納部１１の板部１５と第１仕切り板２０との間には第２仕切り板３０を収めるための隙間が形成され、収納位置では、収納部１１の板部１５と第１仕切り板２０との間に第２仕切り板３０が収納される。
【００３９】
支持部１３のうち、仕切り板１２の上部を支持する上支持部１３ａは、収納部１１の板部１５に対して第１仕切り板２０を出し入れ可能に支持する１段目スライドレール４１，４２と、第１仕切り板２０に対して第２仕切り板３０をスライド移動可能に支持する２段目スライドレール４３、４４とから構成される。
【００４０】
１段目スライドレール４１、４２は、板部１５のうち縁壁１６のある側の面（裏面とする）の上端部に沿って設けられた１段目外レール４１と、該１段目外レール４１に係合してスライドする１段目内レール４２とから構成される。１段目内レール４２は第１仕切り板２０の表面（収納部１１の板部１５の裏面と対向する面）の上端に沿って取りつけられる。１段目内レール４２の設けられた箇所が第１仕切り板２０における上部の支持箇所である。
【００４１】
２段目スライドレール４３、４４は、第１仕切り板２０の表面の上部であって１段目内レール４２の直ぐ下方に設けられた２段目外レール４３と、２段目外レール４３に係合してスライドする２段目内レール４４とから構成される。２段目内レール４４は第２仕切り板３０の上端の裏面に沿って取り付けられる。２段目内レール４４の設けられた箇所が第２仕切り板３０における上部の支持箇所である。なお、２段目内レール４４は第２仕切り板３０の上部途中（前端から2/3位）までで終端しているため、遊技者や店員がぶつかった際に第２仕切り板３０がより曲がり易く衝撃をうまく受け流すことができる。
【００４２】
支持部１３のうち、仕切り板１２の下部を支持する下支持部１３ｂは、板部１５の下端部に設けられて第１仕切り板２０の下部が挿入される案内溝４５ａを備えた案内部４５と、第１仕切り板２０の下部に、出し入れ方向に沿って設けられたガイドスリット４６と、第２仕切り板３０の下部に設けられて、第１仕切り板２０下部のガイドスリット４６に係合するガイドピン４７とから構成される。第１仕切り板２０の下端は案内部４５の案内溝４５ａの底から浮いた状態にある。ガイドピン４７は、第２仕切り板３０の下部の前縁３２寄りに設けられている。案内部４５の案内溝４５ａに挿入される部分が第１仕切り板２０における下部の支持箇所である。第２仕切り板３０における下部の支持箇所はガイドピン４７のある箇所である。
【００４３】
上支持部１３ａは、スライドレール４１〜４４で構成されているので、第１仕切り板２０および第２仕切り板３０を吊り下げるようにして支持し、それらの重みを受け止めるかつ収納部１１に対する位置（第２仕切り板３０の厚み方向の位置）を規制する。
【００４４】
一方、下支持部１３ｂは第１仕切り板２０および第２仕切り板３０の加重を受け止める機能は果さず、専ら、位置を規制する機能を果たす。すなわち、第１仕切り板２０の下部は、案内部４５の案内溝４５ａに該案内溝４５ａの底に着かない程度に入った状態でスライドするので、案内溝４５ａによって厚み方向の位置が規制され、その方向に揺動することはない。また、第２仕切り板３０の下部は、ガイドピン４７が第１仕切り板２０のガイドスリット４６に係合した状態でスライドする。これにより、第２仕切り板３０の下部の前端部は、ガイドピン４７によって位置規制されて第１仕切り板２に沿った状態に維持され、第１仕切り板２０の厚み方向に揺動することはない。
【００４５】
第１仕切り板２０の表面側であって前端部の所定箇所には、スペーサ２２が設けてある（図５、図７参照）。スペーサ２２は、収納部１１の板部１５と第１仕切り板２０との間に第２仕切り板３０が入る隙間を確保する機能を果たす。すなわち、第１仕切り板２０は復元可能に自重で曲がる（撓む）ような柔軟性を備えているので、撓みによって第１仕切り板２０と収納部１１の板部１５との間の隙間が狭くなると、これらの間に第２仕切り板３０が入りに難くなる。
【００４６】
たとえば、図８に示すように、１段目の第１仕切り板２０が収納部１１から引き出された状態のまま、２段目の第２仕切り板３０を収納位置に戻す場合に、収納部１１の板部１５と第１仕切り板２０との間にスペーサ２２によって隙間が確保され、第２仕切り板３０の前端部が板部１５と第１仕切り板２０の間の隙間に円滑に入ることができる。
【００４７】
スペーサ２２は、図７に示すように、第１仕切り板２０および第２仕切り板３０を収納完了位置まで収納部１１へ収納した状態で、第２仕切り板３０の前縁３２に衝突しないように配置およびサイズが設定されている。ここでは、第２仕切り板３０の前端部に形成された弓型の凹部の中に納まるようにされている。
【００４８】
このほか、第１仕切り板２０および第２仕切り板３０の引き出し方向の端縁は、ゴムなどの柔軟で弾性のある保護カバー５１で覆ってある。保護カバー５１は、怪我を防止して安全性を高める作用を果たす。また、保護カバー５１は、第１仕切り板２０と第２仕切り板３０同士が擦れ合うことを防止する機能も果たす。保護カバー５１は、仕切り板１２（第１仕切り板２０、第２仕切り板３０）のうち、遊技者が直接、手で触れることのある端縁の全部または一部に設けられる。
【００４９】
次に、間仕切りユニット１０の作用を説明する。
【００５０】
間仕切りユニット１０は、仕切り板１２（第１仕切り板２０および第２仕切り板３０）を収納部１１から引き出すことで、隣りあう遊技者間を仕切ることができる。これにより、隣の遊技者のタバコの煙や、隣の遊技機３や遊技球貸機４からの音、隣の遊技者の声などを遮ることができ、より快適な個人の空間が形成される。
【００５１】
また、間仕切りユニット１０の仕切り板１２は透明なので、引き出した状態でも、遊技者の手元を遊技場の店員や監視カメラが監視する際に視認性が低下せず、不正行為を防止することができる。
【００５２】
また、仕切り板１２を薄くしたので、間仕切りユニット１０の製造コストを安価にすることができる。仕切り板１２を薄くすることで間仕切りユニット１０全体としての厚みも薄くなり、既存の遊技機島２では、予め設置された台数を減らすことなく間仕切りユニット１０を隣り合う各遊技機３の間に追加設置することができる。
【００５３】
仕切り板１２は、薄くて、復元可能に自重で曲がるような柔軟性と弾性を備えているので、遊技者や遊技場の店員が仕切り板１２にぶつかった場合でも、仕切り板１２はその衝撃を受け流す。これにより、ぶつかった店員や遊技者の怪我が防止される。また、遊技者や遊技場の店員が仕切り板１２にぶつかった際の衝撃が遊技機島２へ伝わり難いので、この衝撃によって遊技機３が揺れて遊技に影響を与えてしまうといったことが防止される。たとえば、上記の衝撃が遊技機３に伝わると、パチンコ球の挙動に影響を与えてしまい、遊技者に不快感や迷惑を与えることがあるが、本実施の形態の間仕切りユニット１０ではそのような事態が防止される。
【００５４】
また、間仕切りユニット１０は、スライド移動により仕切り板１２を収納部１１に収納可能なので、収納できないタイプや回動させて収納させるタイプのものに比べて、遊技場の店員が遊技機３等の前で行う各種作業の作業性が向上する。たとえば、遊技者が店員を呼び出した際、店員は、遊技者の隣に来て、呼出しランプを解除し、玉箱交換、たばこやジュースなどの受け渡しを行う。このような作業の際に店員の体や手が仕切り板１２を遊技機島２側へ押す方向に当たることが多々あるが、店員の体や手が仕切り板１２に当たったときに仕切り板１２が収納部１１側へ容易にスライドするので、当たった衝撃で熱いコーヒーやジュースがこぼれたりすることが防止される。その結果、店員がわざわざ仕切り板１２を収納する等が不要になる。また、店員が仕切り板１２にぶつかって怪我をしたり、こぼれた熱いコーヒーが遊技者にかかってしまったりする等の事故が防止される。
【００５５】
また、遊技者が席を立つ際には、仕切り板１２が柔軟に曲がるため、いちいち仕切り板１２を収納せずに、席を立つことができる。すなわち、席を離れようとする遊技者の体が仕切り板１２に当たっても、仕切り板１２が柔軟に曲がるので、遊技者は強い衝撃を受けたりすることなく、仕切り板１２を体や手で押し曲げながら、そのまま席を立つことができる。また、遊技者が仕切り板１２を収納して席を立つ場合でも、仕切り板１２が薄く軽いので、仕切り板１２を容易に出し入れすることができる。
【００５６】
また、図９に示すように、第２仕切り板３０を収納するときには、第２仕切り板３０のうち、支持部１３に支持された上下の支持箇所は、支持部１３に案内（特に厚み方向に位置規制）されて、円滑に収納部１１（詳細には収納部１１の板部１５と第１仕切り板２０の間）の中へ進入する。また、第２仕切り板３０の前縁３２は支持部１３による支持箇所から縦方向に離れるほど該支持箇所に対して引き出し方向（後端側）に離れる形状を成しているので、支持部１３に支持された部分が収納部１１の中に入った後は、第２仕切り板３０のうち、収納部１１内に直前に入った部分と次に収納部１１へ入ろうとする部分とが直近で連なり、次に入ろうとする部分は直前に入った部分に案内されて円滑に収納部１１内へと進入する。これにより、第２仕切り板３０は、簡単に自重で曲がるように構成されていても、その前縁３２が収納部１１の入口（板部１５や第１仕切り板２０）に衝突することがなく、円滑に収納部１１に入って収納される。
【００５７】
また、第２仕切り板３０の前縁３２は、収納部１１の入口にぶつかることがないので、収納部１１の入口にぶつかる衝撃で、第２仕切り板３０が破損（ひび割れや欠け）することがない。
【００５８】
また、一杯に引き出した状態でも１段目の第１仕切り板２０の前縁全体が収納部１１の中にあり、また、１段目の第１仕切り板２０の後端部と２段目の第２仕切り板３０の前端部とが縦方向の全体に渡ってオーバーラップする。すなわち、図５に示すように、２段目の第２仕切り板３０の前端部の弓形の凹部３２は、１段目の第１仕切り板２０とのオーバーラップの範囲２４内に収めてられている。これにより、収納部１１と第１仕切り板２０の前縁との間や第１仕切り板２０の後端部と第２仕切り板３０の前端部との間に隙間ができないので、隣の席からのタバコの煙や音を効果的に遮ることができる。
【００５９】
また、下支持部１３ｂは、案内溝４５ａやガイドスリット４６、ガイドピン４７で構成されるので、第１仕切り板２０や第２仕切り板３０の熱膨張等によるサイズの変動に対応することができる。ガイドレールと違い遊技者の手元の視認性が低下しないので、不正行為の防止になる。
【００６０】
仕切り板１２の上部と下部を支持部１３（上支持部１３ａ、下支持部１３ｂ）によって支持するので、たとえば、上部だけを支持する場合に比べて、引き出した状態での仕切り板１２の下部のゆれを抑制し、仕切り板１２を安定した姿勢に維持することができる。
【００６１】
なお、第１仕切り板２０は、収納部１１から全部引き出されることはなく、前縁全体が常に収納部１１に収納された状態にある。その結果、第１仕切り板２０の前縁は、第２仕切り板３０のように、支持箇所から縦方向に離れるほど該支持箇所に対して引き出し方向（後端側）に離れる形状を成す必要はない。
【００６２】
次に、本発明に係わる他の実施の形態について説明する。
【００６３】
図１０は、第２の実施の形態に係る間仕切りユニット１０Ａを示す。間仕切りユニット１０Ａの支持部１３は上支持部１３ａのみであり、仕切り板１２の下部は支持部１３によって支持や位置規制されない。また仕切り板１２の上部のみを上支持部１３ａで支持するので、前縁３２は、上支持部１３ａによる支持箇所から下方に離れるほど、引き出し方向に離れる形状になっている。
【００６４】
図１１は、第２の実施の形態に係る間仕切りユニット１０Ｂを示す。間仕切りユニット１０Ｂの支持部１３は、仕切り板１２をその縦方向の中央部分のみで支持する中央支持部１３ｃとなっている。そのため、第２仕切り板３０の前縁３２は、中央支持部１３ｃによる支持箇所から下方の部分では、下方に離れるほど引き出し方向に離れる形状を成し、中央支持部１３ｃによる支持箇所から上方の部分では、上方に離れるほど引き出し方向に離れる形状を成している。すなわち、第２仕切り板３０の前縁３２は、縦方向の中央に向けて収納部１１側へ楔型の形を成している。
【００６５】
図１２〜図１４に示す間仕切りユニット１０Ｃ〜１０Ｅは、第２仕切り板３０を一杯に引き出した場合に、第１仕切り板２０の後端部と第２仕切り板３０の前端部とがオーバーラップしない領域（隙間）が生じるような形態の例を示している。このようにオーバーラップしない領域が生じる場合においても、第２仕切り板３０の前縁３２が、支持箇所から縦方向に離れるほど引き出し方向に離れる形状を成すことで、収納部１１への円滑な収納が確保される。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６７】
収納部１１は、仕切り板１２を出し入れするための入口を備えた箱状に構成されてもよい。
【００６８】
実施の形態では、２段に引き出す構成例を示したが、仕切り板１２の段数は任意でよく、１段のみでも、３段以上でもかまわない。１段の場合には、１段目の前縁の形状を支持箇所から縦方向に離れるほど該支持箇所に対して引き出し方向に離れる形状にすることで収納が円滑になる効果は、少なくとも１段目の前縁の一部が収納部１１から出るような場合に有効になる。一方、３段以上の構成では、２段目、３段目が共に収納部１１から全部出るので、２段目、３段目については共に、その前縁の形状を、支持箇所から縦方向に離れるほど該支持箇所に対して引き出し方向に離れる形状にすることになる。
【００６９】
実施の形態では、支持部１３として上支持部１３ａをスライドレール、下支持部１３ｂを案内溝４５ａやガイドスリット４６、ガイドピン４７などとしたが、下支持部１３ｂについてもスライドレールとしてもよい。
【００７０】
仕切り板１２は透明に限定されない。また、復元可能に曲がるものであれば、縦にしたときに自重で曲がるほど柔軟なものでなくてもかまわない。収納部１１の入口に前縁３２が衝突する可能性がある程度に曲がるものに対して本発明は適用される。
【００７１】
また遊技機島２は、実施の形態で例示した遊技機３（パチンコ機）と遊技球貸機４を収容する構成に限定されず、スロットマシンとメダル貸機等を収容する遊技機島２でもかまわない。
【符号の説明】
【００７２】
２…遊技機島
３…遊技機
４…遊技球貸機
５…椅子
１０…間仕切りユニット
１１…収納部
１２…仕切り板
１３…支持部
１３ａ…上支持部
１３ｂ…下支持部
１５…板部
１６…縁壁
２０…第１仕切り板
２２…スペーサ
２４…オーバーラップする領域
３０…第２仕切り板
３２…前縁
４１…１段目外レール
４２…１段目内レール
４３…２段目外レール
４４…２段目内レール
４５…案内部
４５ａ…案内溝
４６…ガイドスリット
４７…ガイドピン
５１…保護カバー
【図１】
2014151087.tif 000003
【図２】
2014151087.tif 000004
【図３】
2014151087.tif 000005
【図４】
2014151087.tif 000006
【図５】
2014151087.tif 000007
【図６】
2014151087.tif 000008
【図７】
2014151087.tif 000009
【図８】
2014151087.tif 000010
【図９】
2014151087.tif 000011
【図１０】
2014151087.tif 000012
【図１１】
2014151087.tif 000013
【図１２】
2014151087.tif 000014
【図１３】
2014151087.tif 000015
【図１４】
2014151087.tif 000016